(57)【要約】【課題】  階段昇降機の軌道にラックギヤが設けられピニオンギヤにて昇降移動する階段昇降機において、前記軌道のレール又はラックギヤに簡単な構造でラックカバーの着脱ができ、階段昇り降りする際スカートなどの衣服がラックギヤに触れグリスで汚れたり、ラックギヤの歯で衣服を傷付けたりすることもなく、また美観を損ねることもなく、加工及び取り付け面でも負担の少ない階段昇降機を提供する。【解決手段】  軌道のレール２又はラックギヤ３ｂに孔６を設け、その孔６にラックカバー１３の取り付け用ホルダー１２を装着し、そのホルダー１２にラックカバー１３を工具を必要としないで簡単に着脱ができるようにした。【選択図】  図３  
2005213003.tif 000002
【特許請求の範囲】
【請求項１】
階段に付設された軌道にラックギヤが設けられピニオンギヤにて昇降移動する階段昇降機において、ラックカバーをラックカバーに孔を開けることなく前記軌道又はラックギヤに容易に着脱できることを特徴とする階段昇降機。
【請求項２】
前記軌道又はラックギヤに孔又は溝を設け、その孔又は溝にラックカバー取り付け用のホルダーを装着し、そのラックカバー取り付け用のホルダーにラックカバーを取り付けるようにしたことを特徴とする請求項１に記載の階段昇降機。
【請求項３】
前記ラックカバー取り付け用のホルダーの係止部と、ラックカバーの係止部との結合部にテンション用のピンを入れるようにしたことを特徴とする請求項１及び２のいずれかに記載の階段昇降機。
【請求項４】
前記ラックカバーが軟質部材でできていることを特徴とする請求項１乃至３のいずれかに記載の階段昇降機。
【発明の詳細な説明】
【技術分野】
【０００１】
本発明は、体の不自由な方や老人を２階などの上階床面への昇降を可能にした階段昇降機に係り、特にラックギヤを覆い隠すラックカバー取り付けに関するものである。
【背景技術】
【０００２】
従来この種の階段昇降機のラックカバーの目的とするところは、歯が切られたラックギヤが直接見えることにより美観を損ねたり、階段を昇り降りする際スカートなどの衣服がラックギヤに触れグリスで汚れたり、ラックギヤの歯で衣服を傷付けたりするなどの恐れを解消するためにラックカバーを装着していた。
【０００３】
前記ラックカバーは軌道のレール又はラックギヤに直接接着したものや、ねじ止めにて固定されたものがあった。また、他の製品では特許文献１、特許文献２に記載の技術が知られており、特許文献１及び２に記載のものは起立補助装置に関するもので、ラックギヤの歯面側以外の３面を覆いねじ止めにて止められているもので、特許文献１におけるラックカバーは、ラックカバーに構造的な強度をもたせるためのものである。また特許文献２においてのラックカバーは、各転動機構のガイド的な役目を負っているものである程度の強度を必要としている。
【０００４】
【特許文献１】特開平１０―２１６１８４公報
【特許文献２】特開平１１―２５３５０７公報
【発明の開示】
【発明が解決しようとする課題】
【０００５】
従来の階段昇降機の軌道又はラックギヤにラックカバーが直接接着又は溶着されたものは、ラックギヤのメンテナンスをする場合邪魔になったり、ラックカバーが破損した場合簡単に交換ができないなどの欠点があった。また、ねじ止めの場合も外観上カバーを止めるねじの頭が見え美観を損ねたり、ラックギヤのねじピッチとラックカバーの取り付け孔ピッチとを合せる必要があるなど加工面でも煩わしいものがあった。また、ねじを締め過ぎてねじ又はねじ孔を破損させラックカバーが取り付けできなくなるなどの不具合もあった。
【０００６】
また、上記特許文献１及び２の起立補助装置に記載のラックカバーは、単に人を起立させるだけの長さでよいため、ラックギヤの歯面側を除く三方をラックカバーで囲み、ラックカバーを前記ラックカバーの上下でねじ止めをし止めている。しかしながら、上記特許文献１及び２のラックカバーは本発明の使用目的・用途と全く違い採用できない。
【０００７】
そこで、本発明は上記問題点に鑑み請求項１乃至請求項４に記載の発明は、簡単な構造で取り付けができ、階段を昇り降りする際スカートなどの衣服がラックギヤに触れグリスで汚れたり、ラックギヤの歯で衣服を傷付けたり、美観を損ねることなく、加工及び取り付け面でも負担の少ないラックカバー取り付け方法を提供することを目的としたものである。
【課題を解決するための手段】
【０００８】
本発明は、上記課題を解決するため、請求項１の発明は、階段に付設された軌道にラックギヤが設けられピニオンギヤにて昇降移動する階段昇降機において、ラックカバーをラックカバーに孔を開けることなく前記軌道又はラックギヤに容易に着脱できることを特徴とする。この階段昇降機によれば、簡単な構造でラックカバーの取り付けができ、階段を昇り降りする際スカートなどの衣服がラックギヤに触れグリスで汚れたり、ラックギヤの歯で衣服を傷付けたりすることもなく、また美観を損ねることなく、加工及び着脱面でも負担の少ない階段昇降機を提供することができる。
【０００９】
請求項２の発明は、請求項１の発明において、前記軌道又はラックギヤに孔又は溝を設け、その孔又は溝にラックカバー取り付け用のホルダーを装着し、そのラックカバー取り付け用のホルダーにラックカバーを取り付けるようにしたことを特徴とする。この構成により、ラックギヤにはねじ止め用のねじ孔及びラックカバーには取り付け孔をそれぞれ設ける必要がなく、また設置時にホルダーをラックギヤの孔に装着し、ラックカバーをホルダーに取り付けるだけなので、一つひとつねじ止めすることなく、簡単に短時間でラックカバーを取り付けることができる。
【００１０】
請求項３の発明は、請求項１又は２の発明において、前記ラックカバー取り付け用のホルダーの係止部と、ラックカバーの係止部との結合部にテンション用のピンを入れるようにしたことを特徴とする。この構成により、より確実にラックカバーをホルダーに取り付けることができる。
【００１１】
請求項４の発明は、請求項１乃至３の発明において、前記ラックカバーが軟質部材でできていることを特徴とする。この構成により、どのような階段昇降機のガイドレール又はラックギヤの形状にも、ラックカバーを合せ取り付けることができる。
【発明の効果】
【００１２】
以上のように、本発明によれば、ラックギヤのねじ孔とラックカバーの取り付け孔とを合せる必要がなく、取り付け取り外し面でも一般工具及び特殊工具を必要としないので簡単に着脱ができ、加工面でも簡単な加工でできるのでコストの安価な階段昇降機を提供することができる、という効果を奏する。
【発明を実施するための最良の形態】
【００１３】
以下、本発明を具体化した実施の形態を、図面に基づいて詳細に説明する。図１は本発明に係わる階段昇降機を示す全体図であり、階段昇降機の設置例を示したものである。１は階段を示し、その階段１の脇には軌道としてのレール２が階段１の傾斜に倣って設置されている。前記レール２は、上レール３と下レール４が支柱５に上下に一定の間隔で固定され、支柱５を階段１に間隔をおき設置されている。該上レール３はパイプレール３ａとパイプレール３ａの下側面に長手方向に沿って固着されたラックギヤ３ｂとからなっている。    
該ラックギヤ３ｂは歯と反対の上側部に、間隔をおいて四角い孔６が加工されている。
【００１４】
７は昇降機本体で、昇降機本体７は椅子８と昇降体９からなり、前記椅子８は背もたれ８ａ、座部８ｂ、アームレスト８ｃを備え、昇降体９はフットレスト９ａを備えている。又昇降体９にはギヤードモータ１０が内蔵され、ギヤードモータ１０を介しピニオンギヤ１１を回転させ、該ピニオンギヤ１１がレール２のラックギヤ３ｂと噛合し、回転することで昇降機本体７が昇降動作可能となっている。
【００１５】
図２は上レール３を構成している部品を分解し表した斜視断面図で、図３は上レール３を構成している部品を組付けたところの横断面図にて表したものである。
１２はラックカバー１３の取り付け用のホルダーで、ホルダー１２は前記ラックギヤ３ｂに間隔をおいて設けられた孔６に嵌挿する挿入部１２ａとラックカバー１３の係止部Ｂ１３ａと結合する係止部Ａ１２ｂを有している。前記ラックカバー１３は、軟質部材などの例えばゴムなどでできており、係止部Ｂ１３ａとカバー板１３ｂとを有し、係止部Ｂ１３ａはカバー板１３ｂと同じ長さ分を有している。よって、ホルダー１２の係止部Ａ１２ｂにラックカバー１３の係止部Ｂ１３ａを容易にはめ込むことができ、ラックギヤ３ｂの側面を覆い隠すようになっている。
【００１６】
１４はテンション用のピンで、ラックカバー１３取り付け用のホルダー１２の係止部Ａ１２ｂと、ラックカバー１３の係止部Ｂ１３ａとが結合する間に挿入し、ラックカバー１３がホルダー１２に確実に取り付けられるようにしている。
【００１７】
ここで、前記実施例に示した階段昇降機の、特にラックカバー１３の取り付け例を説明する。
予め階段１に設置されたレール２のラックギヤ３ｂに設けられている孔６に、ラックカバー１３の取り付け用のホルダー１２の挿入部１２ａを順次差し込んで行く。加えてホルダー１２の係止部Ａ１２ｂにラックカバー１３の係止部Ｂ１３ａをはめ込み、テンション用のピン１４を差し込み、ラックカバー１３を順次取り付けて行く。
【００１８】
次に、昇降機本体７をレール２に取り付け配線などをして昇降動できるように準備をする。更に、昇降機本体７の座部８ｂに乗り込み、アームレスト８ｃにある昇降用スイッチ（図示せず）を操作し、ギヤードモータ１０を駆動させ、ピニオンギヤ１１を回転させて昇降動させる。
【００１９】
昇降機本体７を使用しないときは、階段を使用する人の邪魔にならないようにアームレスト８ｃ及びフットレスト９ａを折畳んでおく（図１の矢印方向）。尚、階段を利用し昇り降りする時、レール２を手摺り代わりに使用してもよい。
【００２０】
以上のようになる階段昇降機では、次に示すような効果を奏する。
【００２１】
即ち、ホルダー１２をラックギヤ３ｂの孔６に差し込み、ホルダー１２にラックカバー１３を取り付けるだけなので、一切取り付け取り外しに一般工具及び特殊工具を必要とせず、簡単に短時間に着脱ができる。又、階段昇降機のラックギヤ３ｂのメンテナンスをする場合も容易に取り外すことができるので邪魔になることはなく、ラックカバー１３が破損した場合も容易に交換ができる。
【００２２】
更に、ラックカバー１３に取り付け用孔を開ける必要がないので、ラックギヤのねじ孔とラックカバー１３の取り付け孔とを合せる必要もなく加工面でも簡単な加工ででき、外観上ラックカバー１３を止めるねじもないのでねじの頭で美観を損ねることもなく、取り付け時ねじを締め過ぎてねじ又はねじ孔を破損させラックカバー１３が取り付けできなくなるなどの不具合もない。
【００２３】
更に、ラックギヤ３ｂの側面をラックカバー１３で覆い隠されているので、階段を昇り降りする際スカートなどの衣服がラックギヤに触れグリスで汚れたり、ラックギヤの歯で衣服を傷付けたりすることもない。
【００２４】
そして、本発明に係る階段昇降機は上記実施形態に何ら限定されるものではなく、ラックギヤ３ｂの四角い孔６を図４にあるような丸孔１５や穴又は溝にしても良く、ホルダー１２の挿入部１２ａの形状も実施例にある四角状の形状でなく丸や三角形状でも良い。又ホルダー１２の係止部Ａ１２ｂ及びラックカバー１３の係止部Ｂ１３ａの形状も実施例に限定されるものではなく、図５にあるような形状（ａ）（ｂ）でも溝又は穴などにしてもよく、また係止部Ａ１２ｂ及び係止部Ｂ１３ａの取り付け（凹凸）の関係も逆にしても良い。更に、ラックカバー１３の係止部Ｂ１３ａの長さも、ホルダー１２の係止部Ａ１２ｂ部分より大きめにし、適宜間隔をおいて設けるようにしても良い。
【００２５】
又、テンション用のピン１４は必要に応じ取り付ければ良く、必ず取り付けなければならないものでもなく、形状も必要に応じ変更しても良い。更に、上記実施形態は軌道のレール２の上レール３に設けられているラックギヤ３ｂに孔６を開け取り付ける説明をしたが、前記軌道のレール２のパイプレール３ａに孔を開け取り付けるようにしても良い。
なお、上記実施例を変更した又は詳細化し本発明の趣旨を実施できる形態があることはいうまでもない。
【図面の簡単な説明】
【００２６】
【図１】本発明の階段昇降機を表した全体図である。
【図２】本発明を構成している部品を分解し表した斜視断面図である。
【図３】本発明を構成している部品を組付けたところの横断面にて表したものである。
【図４】ラックギヤの孔の他の実施例である。
【図５】ホルダーとラックカバー１３との係止部形状の他の実施例である。
【符号の説明】
【００２７】
２      レール          
３      上レール
３ａ    パイプレール
３ｂ    ラックギヤ
６      孔
７      昇降機本体
１２    ホルダー
１２ａ  挿入部
１２ｂ  係止部Ａ
１３    ラックカバー
１３ａ  係止部Ｂ
１３ｂ  カバー板
１４    ピン  
【図１】
2005213003.tif 000003
【図２】
2005213003.tif 000004
【図３】
2005213003.tif 000005
【図４】
2005213003.tif 000006
【図５】
2005213003.tif 000007